(57)【要約】【課題】カメラの小型化、軽量化を図りつつ安定したグリップ感が得られるカメラを提供すること。【解決手段】ビデオカメラ１２のカメラ本体１４の右側面１４０６にグリップベルト３０が設けられている。グリップベルト３０は、その前端が後端よりも上位となるように斜めに延在している。グリップベルト３０に、長さ調節用金具３６が取着され、また、甲当てパッド３８が着脱可能に装着され、さらに、指掛けパッド４０が取着されている。指掛けパッド４０は、カメラ本体１４の右側面１４０６と甲当てパッド３８（グリップベルト３０）との間に親指を除く右手の指を挿入したカメラ保持状態で、小指の腹部に接触する長さで設けられている。指掛けパッド４０が取着された部分は、グリップベルト３０単体の部分に比べて変形しにくいように形成されている。【選択図】        図２
2004287334.tif 000002
【特許請求の範囲】
【請求項１】
左右の厚さよりも前後の長さ及び上下の高さが大きい偏平な矩形板状を呈するカメラ本体と、
前記カメラ本体の前面の上部に臨むように設けられた撮影光学系と、
前記カメラ本体の右側面の上部かつ前部に設けられた撮影用操作部材と、
前記カメラ本体の右側面に設けられたグリップベルトとを備え、
前記グリップベルトは、その前端がカメラ本体の前部の下部に取り付けられ、その後端がカメラ本体の後部で前記前端の取り付け箇所よりも上位の箇所に取り付けられて前方にいくにつれて下位となるように斜めに配設され、
前記カメラ本体とグリップベルトとの間に右手を挿入し、親指の先端をカメラ本体の背面に当て、少なくとも中指の先端と薬指の先端をカメラ本体の前面に当てることでカメラ本体を保持したカメラ保持状態とし、人差し指で前記撮影用操作部材を操作するようにしたカメラにおいて、
前記グリップベルトに指掛けパッドが取着され、
前記指掛けパッドは、グリップベルトの前端から延在し、前記カメラ保持状態において右手の小指の腹部に接触する長さで設けられ、
前記グリップベルトに指掛けパッドが取着されることで、前記指掛けパッドが取着された部分は、前記グリップベルト単体の部分よりも変形しにくいように形成されている、
ことを特徴とするカメラ。
【請求項２】
前記指掛けパッドは、小指の腹により押されることで小指の腹に沿って変形できる程度の軟質な材料で形成されていることを特徴とする請求項１記載のカメラ。
【請求項３】
前記指掛けパッドは、合成皮革、あるいは軟質な合成樹脂、あるいは軟質なゴムで構成されていることを特徴とする請求項１記載のカメラ。
【請求項４】
前記指掛けパッドは、グリップベルトに対してスライド不能に取着されていることを特徴とする請求項１記載のカメラ。
【請求項５】
前記グリップベルトの前端は、前記カメラ本体の前部の下部に取り外し不能に取着されていることを特徴とする請求項１記載のカメラ。
【請求項６】
前記指掛けパッドは、グリップベルトの前端に位置する前端と、該指掛けパッドの延在方向で前記前端とは反対側に位置する後端とを有し、前記指掛けパッドの後端に臨むグリップベルト部分には、該グリップベルトの長さ調節用の金具が取着されていることを特徴とする請求項１記載のカメラ。
【請求項７】
前記指掛けパッドは、グリップベルトの前端に位置する前端と、該指掛けパッドの延在方向で前記前端とは反対側に位置する後端とを有し、前記指掛けパッドの後端に臨むグリップベルト部分には、該グリップベルトの長さ調節用の金具が取着され、前記金具が取着されたグリップベルト部分とグリップベルトの後端との間のグリップベルト部分に甲当てパッドが取着されていることを特徴とする請求項１記載のカメラ。
【請求項８】
前記指掛けパッドは、グリップベルトの前端に位置する前端と、該指掛けパッドの延在方向で前記前端とは反対側に位置する後端とを有し、前記指掛けパッドの後端に臨むグリップベルト部分には、該グリップベルトの長さ調節用の金具が取着され、前記金具が取着されたグリップベルト部分とグリップベルトの後端との間のグリップベルト部分に甲当てパッドが取り外し可能に取着され、グリップベルトの後端はカメラ本体に対して取り外し可能に取着されていることを特徴とする請求項１記載のカメラ。
【発明の詳細な説明】
【０００１】
【発明の属する技術分野】
本発明は、グリップベルトを備えるカメラに関する。
【０００２】
【従来の技術】
カメラとして、例えば、縦型のビデオカメラが知られている。
このビデオカメラは、左右の厚さよりも前後の長さ及び上下の高さが大きい偏平な矩形板状を呈するカメラ本体と、前記カメラ本体の上部の前面に臨むように設けられた撮影光学系と、前記カメラ本体の右側面の上部かつ前部に設けられたズームレバー（撮影用操作部材）と、前記カメラ本体の右側面に設けられたグリップベルトとを備えている。前記グリップベルトは、その前端がカメラ本体の前部の下部に取り付けられ、その後端がカメラ本体の後部で前記前端の取り付け箇所よりも上位の箇所に取り付けられている。そして、前記カメラ本体とグリップベルトとの間に右手を挿入し、親指の先端をカメラ本体の背面に当て、少なくとも中指の先端と薬指の先端をカメラ本体の前面に当てることでカメラ本体を保持したカメラ保持状態とし、親指でスタートストップボタンを操作し、人差し指でズームレバーを操作するようにしている。
【０００３】
したがって、このような縦型のビデオカメラでは、撮影時、カメラ本体の背面に親指を置き、人差し指をズームレバーに添えて、中指・薬指・小指で撮影レンズよりも下方のカメラ本体の前面を掴むように持つ必要がある。
しかしながら、近年の機器の小型化により、撮影レンズよりも下方のカメラ本体の前面部の寸法が小さくなり、そのため、小指がカメラ本体の前面の下方にはみ出してしまい、安定したグリップ感が得にくい。
そこで、グリップベルトの長さを調節してグリップベルトを長くし、グリップベルトに小指を押し当ててカメラ本体を保持することが考えられるが、単にグリップベルトを長くしても、小指の位置が決まらず安定して保持するのが難しい上、小指がグリップベルトに絡まって締め付けられ、小指が窮屈な状態となり、撮影時に不快な痛みを感じるなどやはり安定したグリップ感が得にくい。
【０００４】
【発明が解決しようとする課題】
このような不具合を解決するために、従来、回転ホールドグリップと呼ばれる機構をカメラ本体の側面に設け、撮影時にこの機構を回転させて指かけとして使うカメラが提供されている（例えば、特許文献１参照）。
しかしながらこの回転ホールドグリップは、強く引っ張っても外れない強固な回転機構を必要とし、そのため質量、体積の大きいレバーを必要とするので、カメラの小型化、軽量化を阻害し、大きいレバーが見栄えを損ねるという欠点があった。
また、ユーザーがその機構の操作を理解していない場合に、回転させないまま保持しようとして、横型のビデオカメラのように下からカメラ本体の側面とグリップベルトとの間に手を挿入して、本来人差し指で操作することを想定して設計されたズームレバーを、薬指で操作する誤操作を招いてしまうという欠点があった。
【０００５】
【特許文献１】
特開２００１−２８１７５７号公報（図１）
【０００６】
【発明が解決しようとする課題】
本発明は前記事情に鑑み案出されたものであって、本発明の目的は、カメラの小型化、軽量化を図りつつ安定したグリップ感が得られるようにしたカメラを提供することにある。
【０００７】
【課題を解決するための手段】
前記目的を達成するため本発明は、左右の厚さよりも前後の長さ及び上下の高さが大きい偏平な矩形板状を呈するカメラ本体と、前記カメラ本体の前面の上部に臨むように設けられた撮影光学系と、前記カメラ本体の右側面の上部かつ前部に設けられた撮影用操作部材と、前記カメラ本体の右側面に設けられたグリップベルトとを備え、前記グリップベルトは、その前端がカメラ本体の前部の下部に取り付けられ、その後端がカメラ本体の後部で前記前端の取り付け箇所よりも上位の箇所に取り付けられて前方にいくにつれて下位となるように斜めに配設され、前記カメラ本体とグリップベルトとの間に右手を挿入し、親指の先端をカメラ本体の背面に当て、少なくとも中指の先端と薬指の先端をカメラ本体の前面に当てることでカメラ本体を保持したカメラ保持状態とし、人差し指で前記撮影用操作部材を操作するようにしたカメラにおいて、前記グリップベルトに指掛けパッドが取着され、前記指掛けパッドは、グリップベルトの前端から延在し、前記カメラ保持状態において右手の小指の腹部に接触する長さで設けられ、前記グリップベルトに指掛けパッドが取着されることで、前記指掛けパッドが取着された部分は、前記グリップベルト単体の部分よりも変形しにくいように形成されていることを特徴とする。
本発明によれば、カメラの保持状態において、グリップベルトは小指に巻き付こうとするが、指掛けパッドによりグリップベルトの小指への巻き付きが阻止され、指掛けパッドにより小指のスペースが十分に確保され、小指の腹を指掛けパッドに当てつけて小指の位置を決めることができ、安定したグリップ感が得られる。
【０００８】
【発明の実施の形態】
以下、本発明の実施の形態を図面に基づいて説明する。
図１は実施の形態に係るカメラの使用状態の側面図、図２は実施の形態に係るカメラの使用状態の正面図、図３は実施の形態にかかるカメラを斜め前方から見た斜視図、図４は実施の形態にかかるカメラを斜め後方から見た斜視図、図５はグリップベルトの説明図、図６はグリップベルトをストラップベルトにその使用形態を変えた場合の斜視図を示す。なお、本明細書において左右とはカメラの後方から見た左右を言うものとする。
実施の形態にかかるカメラは、デジタルスチルカメラの機能を備えた縦型のビデオカメラ１２であり、ビデオカメラ１２により動画と静止画の記録が行なわれる。
ビデオカメラ１２はカメラ本体１４を備え、カメラ本体１４の内部にカメラ機構部とビデオ機構部とが一体に内蔵されている。
カメラ本体１４は、左右の厚さよりも前後の長さ及び上下の高さが大きい偏平な矩形板状に形成されている。
【０００９】
図３に示すように、カメラ本体１４の前面１４０２の上部には、撮影光学系を構成する撮影レンズ１６が配置されている。
図４に示すように、カメラ本体１４の背面１４０４の上部には、ビューファインダー１８が設けられ、ビューファインダー１８の下方の背面１４０４箇所には、電源スイッチレバー２０が揺動可能に配設され、電源スイッチレバー２０の支点部分に動画記録用のスタートストップボタン２２が設けられている。
図３、図４に示すように、カメラ本体１４の右側面１４０６の前部の上部には、ズームレバー２４が揺動可能に配設され、ズームレバー２４の後方箇所に静止画撮影用のシャッターボタン２６が設けられている。
なお、本実施の形態において、電源スイッチレバー２０やスタートストップボタン２２、ズームレバー２４、シャッターボタン２６はそれぞれ撮影用操作部材を構成している。
【００１０】
図３、図４に示すように、カメラ本体１４の右側面１４０６にはグリップベルト３０が設けられている。
グリップベルト３０は、その前端がカメラ本体１４の前部の下部に取り付けられた軸３２に掛装され、その後端がカメラ本体１４の後部で前記前端の取り付け箇所よりも上位の箇所に取り付けられた軸３４に掛装され、前方にいくにつれて下位となるように斜めに配設されている。前部の軸３２は前後方向に延在し、後部の軸３４は、その前端が後端よりも上位となるように斜めに延在している。
グリップベルト３０には、長さ調節用金具３６が取着され、また、甲当てパッド３８が着脱可能に装着され、さらに、指掛けパッド４０が取着されている。
【００１１】
図５を参照して、グリップベルト３０、長さ調節用金具３６、甲当てパッド３８について説明する。
グリップベルト３０は、例えば、合成繊維が帯状に編み込まれた帯体で構成されている。グリップベルト３０の一端は前部の軸３２に掛装され、所定の長さ軸３２から引き出されたグリップベルト箇所３００２が、対向するグリップベルト３０部分に縫い合わされて固定され、さらに、端部３００４が対向するグリップベルト３０部分に縫い合わされて固定されている。したがって、グリップベルト３０の前部は取り外し不能に軸３２に結合されている。
長さ調節用金具３６は、金属製の矩形枠状の２つの枠部材３６０２からなり、これら枠部材３６０２はグリップベルト箇所３００２と端部３００４との間に通され、グリップベルト３０から外れないように取り付けられている。
【００１２】
甲当てパッド３８は、手の甲の広い範囲に当たるようにグリップベルト３０の延在方向に沿って所定の長さ延在するように設けられ、軟質な材料からクッション性を持たせて構成されている。本実施の形態では、合成繊維からなる切れ地に合成皮革を貼り付けたものを用いており、合成繊維が外側に位置し合成皮革が内側に位置するように二つに折られ、面ファスナー３８０２，３８０２で脱着可能に重ね合わせて用いるように構成されている。
折り合わされる合成皮革の半部には、２つの切れ目３８０４、３８０４からなるベルト挿通部３８０６が設けられている。
【００１３】
長さ調節用金具３６が取着されたグリップベルト３０部分よりも先の部分は、ベルト挿通部３８０６に通されて軸３４に掛装され、掛装されたのち再びベルト挿通部３８０６に通され、続いて２つの枠部材３６０２に通され、軸３２側の枠部材３６０２の外側に掛装されたのち軸３２から離れた側の枠部材３６０２の内側を通って軸３４側に引き出され、その端部は甲当てパッド３８の内部に挟まれるように設けられている。したがって、グリップベルト３０の長さ調節は、長さ調節用金具３６に対して、長さ調節用金具３６が取着されたグリップベルト３０部分よりも先の部分を出し入れすることで行なわれる。
なお、図５において、符号３８０８は、一方の面ファスナー３８０２の取り付け用の合成皮革を示しており、面ファスナー３８０２を合成皮革に直接縫い付けるとベルト挿通部３８０６の幅が狭くなってしまうため、この合成皮革３８０８にのみ面ファスナー３８０２を縫い付け、ベルト挿通部３８０６の幅を確保するようにしたものである。
【００１４】
本実施の形態にかかるグリップベルト３０は、図６に示すように、ストラップベルト３０Ａとしての使用形態に変えることもできる。
この場合には、軸３４およびベルト挿通部３８０６からグリップベルト３０を取り外すと共に甲当てパッド３８を取り外し、グリップベルト３０の他端を長さ調節用金具３６に取り付ければよい。
【００１５】
本実施の形態においてビデオカメラ１２の保持、撮影は次のようになされる。図１、図２に示すように、カメラ本体１４の右側面１４０６と甲当てパッド３８（グリップベルト３０）との間に親指を除く右手の指を挿入し、親指の先端をカメラ本体１４の背面１４０４に当て、中指の先端と薬指の先端と小指の先端をカメラ本体１４の前面１４０２に当てることでカメラ本体１４を保持したカメラ保持状態となる。なお、ビデオカメラ１２の保持は、手の大きさやユーザの好みによって異なり、中指の先端と薬指の先端をカメラ本体１４の前面１４０２に当て、小指をカメラ本体１４の下面に当てることでカメラ本体１４を保持したカメラ保持状態となる場合もある。
そして、このようなカメラ保持状態で、親指でスタートストップボタン２２を操作し、人差し指でズームレバー２４やシャッターボタン２６を操作しつつ撮影を行なう。
【００１６】
指掛けパッド４０は、グリップベルト３０に沿った長さを有し、グリップベルト３０の前端に位置する前端４００２と、前端４００２から所定の長さ延在し調節用金具３６の近傍に位置する後端４００４とを有し、グリップ感を向上するためグリップベルト３０よりも大きな幅で形成されている。本実施の形態では、グリップベルト３０の幅が１０ｍｍに対して指掛けパッド４０は１２ｍｍの幅で形成されている。
指掛けパッド４０は、グリップベルト３０に対してスライド不能に、また、取り外し不能に取着されている。
この指掛けパッド４０は、小指の先端をカメラ本体１４の前面１４０２に当てたカメラ保持状態と、小指をカメラ本体１４の下面に当てたカメラ保持状態との何れの場合にも、グリップ感を向上するため小指の腹部に接触する長さで設けられている。より詳細には、指掛けパッド４０は、小指の先端をカメラ本体１４の前面１４０２に当てたカメラ保持状態と、小指をカメラ本体１４の下面に当てたカメラ保持状態との何れの場合にも、小指のＭＰ関節（中手指節関節）５０とＰＩＰ関節（近位指節関節）５２との間の腹部に接触する長さで設けられている。本実施の形態では、軸３２から指掛けパッド４０の前端４００２までが約８ｍｍであり、指掛けパッド４０の長さは２５ｍｍで形成されている。このグリップベルト３０の長さは、手の大きさなどを考慮した場合、おおよそ２０ｍｍ以上で３５ｍｍ以下の範囲であればよい。
【００１７】
そして、グリップベルト３０に指掛けパッド４０が取着されることで、指掛けパッド４０が取着された部分は、グリップベルト３０単体の部分に比べて変形しにくいように形成されている。
本実施の形態では、指掛けパッド４０は、小指の腹により押されることで小指の腹に沿って変形できる程度の軟質な材料で形成されている。
このような指掛けパッド４０の材料として、合成皮革や、厚めの布、あるいは軟質な合成樹脂、あるいは軟質なゴムなどを用いることができる。本実施の形態では、指掛けパッド４０として合成皮革が用いられ、グリップベルト３０に縫い付けられている。
【００１８】
次に、作用、効果について説明する。
本実施の形態では、カメラ保持状態において、カメラ本体１４が小型化されカメラ本体１４の前面１４０２から小指がはみ出してしまう場合であっても、グリップベルト３０の前部に指掛けパッド４０が位置しているので、小指の腹を指掛けパッド４０に当てつけて小指の位置を決めることができ、安定したグリップ感が得られる。
より詳細に説明すると、親指の先端をカメラ本体１４の背面１４０４に当て付け、中指の先端と薬指の先端と小指の先端（あるいは中指の先端と薬指の先端）をカメラ本体１４の前面１４０２に当て付けると共に小指の腹を指掛けパッド４０に当て付けてカメラの保持状態とすると、右手の甲によりグリップベルト３０はカメラ本体１４の右側面１４０６から離れる方向に引っ張られ、グリップベルト３０は小指に巻き付こうとする。しかしながら、指掛けパッド４０が取着された部分は、グリップベルト３０単体の部分に比べて変形しにくいので、指掛けパッド４０によりグリップベルト３０の小指への巻き付きが阻止され、指掛けパッド４０により小指のスペースが十分に確保される。このカメラの状態で、指掛けパッド４０は小指の腹に押されて小指の腹に沿って変形し、小指の位置は安定した状態で決められる。
したがって、小指がグリップベルト３０により締め付けられ、小指が窮屈な状態となり、不快な痛みを感じるなどの不具合を解消でき、安定したグリップ感が得られる。
【００１９】
また、従来の回転ホールドグリップと呼ばれる強固な回転機構や大きいレバーを不要とし、グリップベルト３０の前部に指掛けパッド４０を取り付けるといった簡単な構成により安定したグリップ感が得られるので、ビデオカメラ１２のデザインを何ら損なわずに、ビデオカメラ１２の小型化、軽量化を図る上で極めて有利となる。
また、指掛けパッド４０は、合成皮革や、厚めの布、あるいは軟質な合成樹脂、あるいは軟質なゴムなどを用いて形成されるため、回転ホールドグリップを用いる場合に比べて高価な金型や材料を必要とせず、したがって、コストダウンを図る上でも極めて有利となる。
【００２０】
また、ビデオカメラ１２の店頭陳列時、あるいは非使用時に机や棚に置かれた状態で、あるいはビデオカメラ本体１２が持ち上げられた状態で、図３、図４に示すように、軸３４部分を頂点とし、カメラ本体１４の右側面１４０６を一辺とし、指掛けパッド４０と甲当てパッド３８とをそれぞれ一辺とするほぼ三角形状のスペースが確保されるので、図１に示すように、ユーザにとってこのスペースに右手の親指を除く４本の指を下から斜め前方に向けて挿入する正しい保持の仕方が簡単にイメージされる。したがって、横型のビデオカメラのようにカメラ本体の側面とグリップベルトとの間に下から上に手を挿入する誤った方法でカメラを保持し、本来人差し指で操作することを想定して設計されたズームレバーを薬指で操作するなどの誤操作を招く不具合も解消することが可能となる。
【００２１】
なお、本実施の形態では、カメラがビデオカメラの場合について説明したが、本発明におけるカメラはビデオカメラやデジタルスチルカメラに限定されず、その他の撮影形式の異なる様々なカメラに広く適用される。
【００２２】
【発明の効果】
以上説明したように本発明によれば、カメラの小型化、軽量化を図りつつ簡単な構成により安定したグリップ感が得られるようにしたカメラが提供される。
【図面の簡単な説明】
【図１】実施の形態に係るカメラの使用状態の側面図である。
【図２】実施の形態に係るカメラの使用状態の正面図である。
【図３】実施の形態にかかるカメラを斜め前方から見た斜視図である。
【図４】実施の形態にかかるカメラを斜め後方から見た斜視図である。
【図５】グリップベルトの説明図である。
【図６】グリップベルトをストラップベルトにその使用形態を変えた場合の斜視図である。
【符号の説明】
１２……ビデオカメラ、１４……カメラ本体、１４０２……前面、１４０４……背面、１４０６……右側面、３０……グリップベルト、３６……長さ調節用金具、３８……甲当てパッド、４０……指掛けパッド。
【図１】
2004287334.tif 000003
【図２】
2004287334.tif 000004
【図３】
2004287334.tif 000005
【図４】
2004287334.tif 000006
【図５】
2004287334.tif 000007
【図６】
2004287334.tif 000008